(57)【要約】【課題】遠隔操作によって擬似電源オフ状態から通常の電源オン状態に移行させることができる通信装置を提供する。【解決手段】電源キーが操作されると、電源オフ状態（状態１０２）と、位置情報を取得し取得した位置情報を所定の宛先へ送信する電源オン状態（状態１０４）と、の繰り返しで構成される擬似電源オフ状態となり、前記擬似電源オフ状態における電源オン状態（状態０１４）であるときに遠隔操作フラグ付き情報を受信すると、前記擬似電源オフ状態から通常の電源オン状態（待ち受け状態１００）に移行することを特徴とする通信装置。【選択図】図２
2008061153.tif 000002
【特許請求の範囲】
【請求項１】
所定のキーが操作されると、電源オフ状態と、位置情報を取得し取得した位置情報を所定の宛先へ送信する電源オン状態と、の繰り返しで構成される擬似電源オフ状態となり、
前記擬似電源オフ状態における電源オン状態であるときに所定のフラグ付き情報を受信すると、前記擬似電源オフ状態から通常の電源オン状態に移行することを特徴とする通信装置。
【請求項２】
前記擬似電源オフ状態における電源オン状態であるときに所定のフラグ付き情報を受信すると、前記擬似電源オフ状態から通常の電源オン状態に移行するとともに、前記所定のフラグ付き情報の受信が完了したことを前記所定のフラグ付き情報の送信元に通知する請求項１に記載の通信装置。
【請求項３】
請求項１に記載の通信装置とは異なる通信装置から請求項１に記載の通信装置に向けて所定のフラグ付き発呼または所定のフラグ付きメール送信が有ったかを判定する判定部と、
前記判定部が、請求項１に記載の通信装置とは異なる通信装置から請求項１に記載の通信装置に向けて所定のフラグ付き発呼または所定のフラグ付きメール送信が有ったと判定した場合、所定のフラグ付き情報を請求項１に記載の通信装置に送信する送信部とを備えることを特徴とする通信システム制御装置。
【請求項４】
請求項２に記載の通信装置とは異なる通信装置から請求項２に記載の通信装置に向けて所定のフラグ付き発呼または所定のフラグ付きメール送信が有ったかを判定する判定部と、
前記判定部が、請求項２に記載の通信装置とは異なる通信装置から請求項２に記載の通信装置に向けて所定のフラグ付き発呼または所定のフラグ付きメール送信が有ったと判定した場合、所定のフラグ付き情報を請求項２に記載の通信装置に送信する送信部とを備え、
前記送信部が前記所定のフラグ付き情報を送信した後、請求項２に記載の通信装置から前記所定のフラグ付き情報の受信が完了した旨の通知が無い場合、それ以後前記通知があるまで所定の時間毎に前記送信部が前記所定のフラグ付き情報を再送信することを特徴とする通信システム制御装置。
【発明の詳細な説明】
【技術分野】
【０００１】
本発明は、位置情報を送信可能な通信装置及び前記通信装置と他の通信装置との通信を制御する通信システム制御装置に関する。
【背景技術】
【０００２】
近年では子供の誘拐事件が多発しており、このような事件に巻き込まれた場合に子供が容易に助けを求められるようにする為に、携帯電話に防犯ブザーを搭載したものが実際に製品化されている。
【０００３】
又、ユーザが携帯電話の所定のボタンを操作することにより、ブザーが鳴動すると共に現在位置の情報を受信し、所定の宛先へ送信する技術が提案されている（例えば特許文献１を参照）。
【０００４】
ところで、特許文献１に記載の携帯電話装置は、ユーザが所定のボタン操作を行うと、ブザーが鳴動すると共に位置情報を送信するものであるが、ブザーの鳴動中或いはブザー鳴動停止後に犯人が電源キーを操作することにより電源をオフされてしまうと、位置情報の送信を行うことができず、携帯電話装置のせっかくの防犯機能を十分に活用することができない。
【０００５】
このような課題を解決することができる通信装置が本出願人によって既に特許出願（特願２００６−１５０７５９号）されている。特願２００６−１５０７５９号の通信装置は、所定のキーが操作されると、電源オフ状態と、位置情報を取得し取得した位置情報を所定の宛先へ送信する電源オン状態と、の繰り返しで構成される擬似電源オフ状態となることを特徴としており、ユーザが襲われた際に、犯人により電源オフの操作が行われても、犯人に気づかれずに位置情報の取得と位置情報の送信を行うので、緊急時に所定の宛先に現在位置を知らせ、助けを呼ぶことが可能である。
【特許文献１】特開２０００−３２２６７８号公報
【発明の開示】
【発明が解決しようとする課題】
【０００６】
特願２００６−１５０７５９号の通信装置は擬似電源オフ状態において所定の宛先へ現在位置の情報を送信するので、所定の宛先側で特願２００６−１５０７５９号の通信装置の位置を確認することができる。しかしながら、所定の宛先側が発呼しても擬似電源オフ状態である特願２００６−１５０７５９号の通信装置とは通話することができなかった。
【０００７】
本発明は、上記の状況に鑑み、遠隔操作によって擬似電源オフ状態から通常の電源オン状態に移行させることができる通信装置及び前記遠隔操作の内容を前記通信装置に伝える通信システム制御装置を提供することを目的とする。
【課題を解決するための手段】
【０００８】
上記目的を達成するために本発明に係る通信装置は、所定のキーが操作されると、電源オフ状態と、位置情報を取得し取得した位置情報を所定の宛先へ送信する電源オン状態と、の繰り返しで構成される擬似電源オフ状態となり、前記擬似電源オフ状態における電源オン状態であるときに所定のフラグ付き情報を受信すると、前記擬似電源オフ状態から通常の電源オン状態に移行する構成（以下、第１の構成と称す）とする。
【０００９】
このような構成によると、遠隔操作によって擬似電源オフ状態から通常の電源オン状態に移行させることができる。
【００１０】
また、上記構成の通信装置において、前記擬似電源オフ状態における電源オン状態であるときに所定のフラグ付き情報を受信すると、前記擬似電源オフ状態から通常の電源オン状態に移行するとともに、前記所定のフラグ付き情報の受信が完了したことを前記所定のフラグ付き情報の送信元に通知する構成（以下、第２の構成と称す）にしてもよい。
【００１１】
また、上記目的を達成するために本発明に係る通信システム制御装置は、上記第１の構成の通信装置とは異なる通信装置から上記第１の構成の通信装置に向けて所定のフラグ付き発呼または所定のフラグ付きメール送信が有ったかを判定する判定部と、前記判定部が、上記第１の構成の通信装置とは異なる通信装置から上記第１の構成の通信装置に向けて所定のフラグ付き発呼または所定のフラグ付きメール送信が有ったと判定した場合、所定のフラグ付き情報を上記第１の構成の通信装置に送信する送信部とを備えるようにする。
【００１２】
このような構成によると、上記第１の構成の通信装置とは異なる通信装置からの遠隔操作によって上記第１の構成の通信装置の状態を擬似電源オフ状態から通常の電源オン状態に移行させることができる。
【００１３】
また、上記目的を達成するために本発明に係る通信システム制御装置は、上記第２の構成の通信装置とは異なる通信装置から上記第２の構成の通信装置に向けて所定のフラグ付き発呼または所定のフラグ付きメール送信が有ったかを判定する判定部と、前記判定部が、上記第２の構成の通信装置とは異なる通信装置から上記第２の構成の通信装置に向けて所定のフラグ付き発呼または所定のフラグ付きメール送信が有ったと判定した場合、所定のフラグ付き情報を上記第２の構成の通信装置に送信する送信部とを備え、前記送信部が前記所定のフラグ付き情報を送信した後、上記第２の構成の通信装置から前記所定のフラグ付き情報の受信が完了した旨の通知が無い場合、それ以後前記通知があるまで所定の時間毎に前記送信部が前記所定のフラグ付き情報を再送信するようにしてもよい。
【００１４】
このような構成によると、上記第２の構成の通信装置が擬似電源オフ状態におけるオフ状態であるときに前記所定のフラグ付き情報が送信され、上記第２の構成の通信装置での受信が失敗した場合でも、上記第２の構成の通信装置での受信が成功するまで所定の時間毎に前記送信部が前記所定のフラグ付き情報を再送信するので、遠隔操作によって擬似電源オフ状態から通常の電源オン状態に確実に移行させることができる。
【発明の効果】
【００１５】
本発明によると、遠隔操作によって擬似電源オフ状態から通常の電源オン状態に移行させることができる通信装置及び前記遠隔操作の内容を前記通信装置に伝える通信システム制御装置を実現することができる。
【発明を実施するための最良の形態】
【００１６】
本発明の実施形態について図面を参照して以下に説明する。本発明に係る通信装置として、ここでは、携帯電話装置を例に挙げて説明する。本発明に係る携帯電話装置の回路ブロック図を図１に示す。
【００１７】
図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【００１８】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１９】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてられ通話に使用される。
【００２０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２１】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカとして使用可能であり、又、着信報知の鳴動用としても使用可能であり、更には、約１００ｄＢといった高音量のブザー音を鳴動する為にも使用可能である。このブザー音は例えば防犯ブザーとして使用される。
【００２２】
切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２３】
また、携帯電話装置１０は、ＧＰＳアンテナ５６と接続されたＧＰＳ通信部５８を備えている。ＧＰＳ通信部５８では、ＧＰＳアンテナ５６がとらえたＧＰＳ衛星からのＧＰＳデータ（例えば、ＧＰＳ衛星の航行スケジュールであるアルマナックデータや、ＧＰＳ衛星の詳細軌道のデータであるエフェメリスデータ等）を受信し、制御回路３６に出力する。制御回路３６では、受信したＧＰＳデータに基づいて携帯電話装置１０の現在の位置情報（以下、位置情報と称す）が算出される。なお、制御回路３６により算出された携帯電話装置１０の位置情報は、ＲＡＭ４０に記憶されることもあれば、電子メールに添付して送信されることもある。
【００２４】
又、位置情報を取得する為に他の方法も考えられる。例えば、携帯電話装置１０で受信したＧＰＳ衛星からのＧＰＳデータを通信事業者のサーバへ送り、サーバ側で経度や緯度等の位置情報を計算し、計算された位置情報を携帯電話装置１０が受信する構成等が考えられる。
【００２５】
このように、携帯電話装置１０がＧＰＳ衛星からＧＰＳ情報を受信し、受信したＧＰＳ情報に基づいて位置情報を携帯電話装置１０が内部で計算するというような位置情報の取得方法もあれば、サーバで計算された位置情報を受信するというような位置情報の取得方法もある。
【００２６】
位置情報の取得方法はＧＰＳ衛星からのデータに基づいてでも良いし、携帯電話装置１０の周囲に存在する基地局の位置（具体的には、ＩＤ等）に基づいて、携帯電話装置１０のおおよその位置を算出しても良い。
【００２７】
また、電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６によりＧＰＳ通信部５８又は電話通信部１２を介して外部の通信機（例えば、携帯電話装置）に対して位置情報を添付した電子メールを送信することができるようになっている。また、制御回路３６にはタイマー（図示省略）が内蔵されており、外部の通信機（例えば、携帯電話装置）に対して位置情報を添付した電子メールを所定のタイミングで定期的に送信することができるようになっている。
【００２８】
次に、ＲＡＭ４０に格納される情報について説明する。ＲＯＭ４０には、位置情報送信設定フラグ、通信時間設定、ペア情報、第１ロックナンバー、第２ロックナンバー、等が格納される。
【００２９】
位置情報送信設定フラグであるが、これは、電源オフの操作がされたら自動的に位置情報送信を行うか否かの設定フラグであり、このフラグがオンである状態では、電源オフ操作がされたら自動的に位置情報送信を行う、一方、このフラグがオフである状態では、電源オフ操作がされても自動的に位置情報送信を行わず、電源オフとなる。
【００３０】
次に、通知時間設定であるが、これは位置情報を送信する間隔の情報を示している。ユーザは例えば、１５分、３０分、６０分のいずれかの間隔を選択可能である。尚、言うまでもなく、この通知時間間隔をユーザが直接数値入力することにより設定可能としても良い。
【００３１】
次にペア情報であるが、これは、所定の操作（例えば、＃キー押下）が行われた際や、位置情報送信設定フラグオン時に電源オフ操作が行われた際に、位置情報を送信する相手先の情報（例えば、メールアドレス）である。尚、このメールアドレスはユーザのキー操作により入力可能である。
【００３２】
第１ロックナンバーは、位置情報送信設定フラグのオン／オフを変更する際に入力する暗証番号である。即ち、正確な第１ロックナンバーが入力されなければ、位置情報送信設定フラグのオン／オフ変更は許可されない。又、この第１ロックナンバーは、第２ロックナンバーを変更する際に入力される暗証番号であり、正しい第１ロックナンバーが入力されて始めて第２ロックナンバーの変更が許可される。
【００３３】
第２ロックナンバーは、位置情報送信設定フラグがオンの状態であるときに電源を完全にオフするために必要となるものである。
【００３４】
尚、これら第１ロックナンバーと第２ロックナンバーは工場出荷時のデェフォルト値（初期値）は「１２３４」の４桁の数字となっており、ユーザのキー操作によりこの値は変更可能である。
【００３５】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源のオンオフを行う為の電源キー６４と、を有している。なお、通常はこの電源キーを押下することにより電源オンオフすることが可能であるが、位置情報送信設定フラグがオンの状態で、電源キーが操作されると、後述する擬似電源オフ状態になる。
【００３６】
また、制御回路３６には、ディスプレイ４２のバックライトである照明部４６が接続されている。
【００３７】
次に携帯電話装置１０の動作について説明する。携帯電話装置１０は、所定の操作（例えば、＃キーを２秒以上連続押下）を行うと、スピーカ３４からブザー音が鳴動し、更に、ＧＰＳ通信部５８を介してＧＰＳ衛星と通信を行うことによりＧＰＳ衛星からデータ（以下ＧＰＳデータと称す）を受信し、受信したＧＰＳデータから位置情報を計算し、計算した位置情報を予め設定した相手先（ＲＡＭ４０に格納されたペア情報に応じた相手先）にメール添付し送信する。
【００３８】
又、位置情報送信設定フラグがオンの状態であるときには電源キー６４の操作による電源オフを無効としており、正しい第２ロックナンバーを入力すると電源がオフする構成となっている。尚、位置情報送信設定フラグがオフの状態であるときには電源キー６４の操作による電源オフが可能である。
【００３９】
更に、位置情報送信設定フラグがオンの状態であるときに電源キーが操作（例えば２秒以上連続押下）されると、電源オフとはならず、擬似電源オフ状態になり、あたかも電源オフとなった状態になるが、位置情報の取得と送信は行う。従って、ブザー音鳴動中（或いは位置情報送信中）に犯人により電源キーが操作（例えば２秒以上連続押下）されると、電源オフとはならず、擬似電源オフ状態になり、防犯ブザーの鳴動は停止すると共にディスプレイ４２には何も表示されず、あたかも電源オフとなった状態になるが、位置情報の取得と送信は行う。
【００４０】
図２は、犯人により電源キーが操作されてからの携帯電話装置１０の状態を示す遷移図である。この遷移図に基づいて、位置情報送信設定フラグがオンの状態である場合に、電源キーが操作されてから携帯電話装置１０がどのような状態になるかについて説明する。
【００４１】
先ず、図２の状態１００は、電話の発呼および着呼が可能な待ち受け状態である。この状態で、電源キーが２秒以上連続押下されると、状態１０１に移る。なお、状態１００において防犯ブザーが鳴動していた場合、状態１０１に移る際に防犯ブザーの鳴動を停止する。
【００４２】
状態１０１では、ディスプレイ４２に電源オフ時のアニメーション表示がなされる（実際には、通常の電源オフ時のアニメーションとこの状態１０１とのアニメーションとは表示を異ならせている。このような構成としたのは、犯人が電源オフした際に、ユーザがこの表示を見て、本当に電源オフとなったのか、或いは擬似電源オフ状態となったかを知るためである。）。
【００４３】
続いて状態１０２では、ディスプレイ４２に電源オフ時と同じように何も表示されない状態となっている。
【００４４】
状態１０２の状態で、電源キーが２秒以上連続押下されると、電源がオンされ、ディスプレイ４２に電源オン時のアニメーション表示がなされる状態１０３に移行し、その後、待ち受け状態である状態１００に移行する。
【００４５】
一方、状態１０２の状態で電源キーの操作がされなければ、所定時間経過後に状態１０４に移り、ＧＰＳ通信部５８を介して衛星と通信を行い、ＧＰＳデータを受信する。受信したＧＰＳデータに基づいて位置情報を計算し、計算した位置情報は例えば、経度緯度の情報であり、この情報をＲＡＭ４０に格納されたペア情報に応じた相手先へメール送信する。尚、状態１０４の状態では、ＧＰＳ情報を取得する際に、ＧＰＳ情報を取得中である旨の表示を行い、位置情報を送信する際には、位置情報を送信中である旨の表示を行う。これにより、ユーザはＧＰＳ情報を取得中であることや位置情報を送信中であることを認識することが可能である。
【００４６】
また、状態１０４では、遠隔操作フラグ付き情報の受信を試み、遠隔操作フラグ付き情報を受信することができた場合は待ち受け状態である状態１００に移行する。遠隔操作フラグ付き情報の一例としては、遠隔操作対象の携帯電話装置のメールアドレスを送信先とし、遠隔操作フラグである「１１１」の３桁の数字を件名とし、本文を空にしたメールが挙げられる。
【００４７】
更に、ユーザが擬似電源オフ状態であることをより明確に知る為に、照明部４６（バックライト）から少し照明を行っている。ユーザは、ディスプレイ４２がぼんやりと明るくなっていることを認識することにより、擬似電源オフ状態であること知ることができる。尚、このようにディスプレイ４２がぼんやりと明るくなる構成は、状態１０４だけに限らず、電源キーが操作されてからの状態１０１、１０２でも明るくしても良い。
【００４８】
位置情報の送信が終了すると、状態１０２に戻る。このように、状態１０２の状態で電源キーが操作されない限り、状態１０２と状態１０４を所定時間毎繰り返し行う。
【００４９】
次に擬似電源オフ状態について説明する。図３は、擬似電源オフ状態を詳細に説明するための図である。擬似電源オフ状態は少なくとも２つの状態からなり、電源オフ状態と電源オン状態からなる。この電源オフ状態は、通常の待ち受け状態における電源オフと同じ状態であり、通話やメールの送受信ができない、制御回路が電源キーの操作を監視している状態である。一方、電源オン状態は、位置情報の測定と位置情報の送信を行う状態である。図２で説明すると、状態１０２が電源オフ状態であり、状態１０４が電源オン状態となる。
【００５０】
この擬似電源オフ状態では、図３に示すように、電源オフ状態と電源オン状態とが繰り返し実行される。
【００５１】
次に、擬似電源オフ動作について、図４を用いて説明する。図４のＳ１００ステップでは、制御回路３６は、ディスプレイ４２に電源オフアニメーションを表示させる。尚、ここで電源オフアニメーションを表示するのは、犯人に電源キー６４が操作された際に実際には電源がオフとなっていないが、あたかも電源オフとなったと犯人に思わせる為である。また、ここで表示される電源オフアニメーションは、本当に電源オフとなる際の電源オフアニメーションと異ならせても良い。このような表示とすることにより、ユーザに、擬似電源オフ状態となったことを認識させることが可能である。又、このようなアニメーションはユーザが設定可能としても良いし、工場出荷時から予め設定されている構成としても良い。尚、防犯ブザーが鳴動している場合、このＳ１００ステップにおいて防犯ブザーの鳴動は停止される。
【００５２】
Ｓ１１０ステップでは、制御回路３６は、電源オフ状態を開始する。尚、ここでいう電源オフ状態とは通常の電源オフ状態ではなく、図３に示すように、擬似電源オフ状態中における電源オフ状態である。
【００５３】
Ｓ１２０ステップでは、制御回路３６は、内蔵されているタイマー（図示せず）により所定時間のカウントを開始し、Ｓ１３０ステップへ処理を進める。
【００５４】
Ｓ１３０ステップでは、制御回路３６は、電源キー６４が操作されたと判定するとＳ１４０ステップへ処理を進め、そうでなければ、Ｓ１５０ステップへ処理を進める。
【００５５】
Ｓ１４０ステップでは、制御回路３６は、電源オン状態とし、その後、疑似電源オフ状態を終了し待ち受け状態に移行する。尚、Ｓ１４０ステップにおいて電源オン状態とする際に、電源オンのアニメーションがディスプレイ４２に表示される。
【００５６】
Ｓ１５０ステップでは、制御回路３６は、Ｓ１２０ステップにおいてカウント開始したタイマーが所定の時間をカウントしたと判定するとＳ１６０ステップへ処理を進め、そうでなければ、Ｓ１３０ステップへ処理を戻す。
【００５７】
Ｓ１６０ステップでは、制御回路３６は、電源オン状態にし、Ｓ１７０ステップへ処理を進める。尚、ここでいう電源オン状態とは、通常の電源オン状態ではなく、図３に示す擬似電源オフ状態における電源オン状態である。
【００５８】
続くＳ１７０ステップでは、制御回路３６は、位置確認可能であると判定するとＳ１９０ステップへ処理を進め、そうでなければ、Ｓ１８０ステップへ処理を進める。尚、ここで位置確認可能であるか否かは、例えば衛星からの信号を受信できる状態であるか否かを判定することである。又、サーバで計算した位置情報を受信する構成であれば、基地局からの電波の届く範囲内にいるか否かが判定される。
【００５９】
Ｓ１８０ステップでは、制御回路３６は、位置確認失敗と判定すると共にディスプレイ４２に例えば「位置確認失敗」と表示させ、タイマーをクリアしＳ２５０ステップへ処理を進める。
【００６０】
Ｓ１９０ステップでは、制御回路３６は、位置確認動作を開始する。具体的には、ＧＰＳ衛星からの信号を受信し位置を計算する、或いは位置情報を事業者のサーバから受信するようにしても良い。
【００６１】
続くＳ２００ステップでは、制御回路３６は、位置確認が成功したと判定するとＳ２１０ステップへ処理を進め、そうでなければ、Ｓ１８０ステップへ処理を進める。具体的には、制御回路３６は、ＧＰＳ情報からの信号を正確に受信できなかったか否かを判定する。尚、サーバで計算した位置情報を受信する構成であれば、基地局を介してサーバから位置情報を正確に受信できなかったか否かを判定する。
【００６２】
Ｓ２１０ステップでは、制御回路３６は、ＧＰＳ衛星との通信により計算した位置情報を電子メールに添付しＲＡＭ４０に格納されたペア情報に応じた相手先へ送信する。尚、メールを送信する際に、メールタイトルは予め設定したタイトル（例えば、「緊急です。助けてください」）を自動的に付加すると共に、メール本文には、予め設定した本文（例えば、「緊急事態発生、助けてください。警察にも連絡してください。」が自動的に付加される。このメールタイトルやメール本文はユーザが自由に作成し設定可能としても良いし、工場出荷時から予め通信装置に格納されているものをユーザが選択して設定可能としても良い。
【００６３】
続くＳ２２０ステップでは、制御回路３６は、メールの送信が成功したと判定するとＳ２４０ステップへ処理を進め、そうでなければ、Ｓ２３０ステップへ処理を進める。
【００６４】
Ｓ２３０ステップでは、制御回路３６は、ディスプレイ４２に例えば「位置送信失敗」と表示させ、タイマーをクリアしＳ２５０ステップへ処理を進める。
【００６５】
Ｓ２４０ステップでは、制御回路３６は、ディスプレイ４２に例えば「位置送信成功」と表示させ、タイマーをクリアしＳ２５０ステップへ処理を進める。
【００６６】
Ｓ２５０ステップでは、制御回路３６は、遠隔操作フラグ付き情報を受信したと判定するとＳ２６０ステップへ処理を進め、そうでなければ、Ｓ２７０ステップへ処理を進める。
【００６７】
Ｓ２６０ステップでは、制御回路３６は、遠隔操作フラグ付き情報を受信旨の通知を基地局に対して送信し、その後、疑似電源オフ状態を終了し待ち受け状態に移行する。
【００６８】
Ｓ２７０ステップでは、制御回路３６は、ディスプレイ４２の表示をクリアし、Ｓ１１０ステップへ処理を戻す。
【００６９】
このように、図４の擬似電源オフ動作では、所定時間毎にＧＰＳデータに基づいて計算された位置情報をメールに添付し所定の宛先に送っている。このように、待ち受け時に電源キーが操作されると、電源オフのアニメーションを表示し表示が消えるため、犯人は携帯電話の電源がオフになったと思い込む。しかしながら、実際には所定時間毎に位置情報を受信（或いは計算）し、その位置情報を自動的にメールに添付し所定の宛先へ送信している。この為、ユーザが犯人に気づかれずに現在の位置情報を所定の宛先へ送ることができ、位置情報を受信した側は、受信した位置情報に基づいてユーザを追跡することができる。
【００７０】
また、図４の擬似電源オフ動作では、遠隔操作フラグ付き情報を受信すると、疑似電源オフを終了し待ち受け状態に移行するので、遠隔操作によって擬似電源オフ状態から待ち受け状態に移行させることができる。
【００７１】
尚、携帯電話装置１０を以下の構成とすることも考えられる。例えば、上述した実施形態では、擬似電源オフ状態で位置情報を取得する際と位置情報を送信する際に、ディスプレイ４２に位置情報取得中である旨と位置情報送信中である旨の表示を行っているが、この時にディスプレイ４２には何も表示しない構成としても良い。このような構成とすることにより、たまたま犯人が位置情報送信中の表示をしている際にディスプレイ４２を見て、携帯電話装置が動いていることが認識してしまうといった事態を回避することができる。又、この場合、携帯電話装置が擬似電源オフ状態であるか否かをユーザが知ることができないので、位置情報取得中と位置情報送信中には着信ランプを点滅（或いは点灯）させる構成や、バイブレータを振動させたり、ディスプレイ４２のバックライトを点灯させる構成としても良い。
【００７２】
又、ユーザが所望の時にのみ、位置情報取得中であるか位置情報送信中であるかを知ることができるようにする為に、ユーザが所定のキー操作を行うと、位置情報取得中であるか位置情報送信中であるかを表示させたり、着信ランプを点滅（或いは点灯）させたり、バイブレータを振動させたり、バックライトを点灯させる構成としても良い。
【００７３】
又、上述した実施形態では、「＃」キー押下に応じてブザーを鳴動する構成としているが、１つのキーを押下しただけでブザーを鳴動する構成としては誤って押下される可能性もある為、複数のキーを同時に押下したり、特定のヒモや部材を引っ張ることによりブザーを鳴動する構成としても良い。更に、特定のモードに設定した際にのみ、「＃」キーを押下するとブザーが鳴動し位置情報の送受信を行う構成としても良い。
【００７４】
更に、上述した実施形態では、ブザー鳴動中に電源キー６４の入力を受付け、電源キー６４の操作が行われると擬似電源オフ動作を開始するが、ブザー鳴動中に電源キー６４の操作が行われても擬似電源オフ動作を開始しない構成としても良い。
【００７５】
更に、遠隔操作フラグ付き情報を受信することによって、疑似電源オフを終了し待ち受け状態に移行した場合、通常の待ち受け表示を行わず、ディスプレイ４２には何も表示しないようにして、あたかも電源オフの状態であるかのように装っても良い。また、遠隔操作フラグ付き情報を受信することによって、疑似電源オフを終了し待ち受け状態に移行した場合、その移行から予め設定した時間が経過すると、自動的に疑似電源オフの状態に戻るようにしても良い。
【００７６】
次に、携帯電話装置１０を含む通信システムの構成について図５を用いて説明する。ここでは、上述した携帯電話装置１０を子供が所有し、その親が携帯電話装置２４０を所有しているものとする。携帯電話装置１０が待ち受け状態であるならば、携帯電話装置２４０は、基地局２３０、ネットワーク２１０、交換機の機能を有する通信システム制御装置２００、及び基地局２２０を介して携帯電話装置１０との通話が可能である。これに対して、携帯電話装置１０が疑似電源オフ状態であるならば、携帯電話装置２４０は、携帯電話装置１０との通話ができない。したがって、親が子にすぐに連絡を取りたい場合に対応できるように、遠隔操作によって携帯電話装置１０を疑似電源オフ状態から待ち受け状態に移行させることができるようにすることが望ましい。
【００７７】
次に、携帯電話装置１０を遠隔操作するための通信システム制御装置の動作について図６を用いて説明する。
【００７８】
Ｓ３００ステップでは、通信システム制御装置２００は、遠隔操作フラグ付き発呼が有ったと判定するとＳ３２０ステップへ処理を進め、そうでなければ、Ｓ３１０ステップへ処理を進める。本実施形態では、遠隔操作フラグを「１１１」の３桁の数字としている。例えば、親が携帯電話装置２４０を操作して、遠隔操作フラグ「１１１」を頭につけて携帯電話装置１０の電話番号を入力した後オフフック状態にすることで、遠隔操作フラグ付き発呼が有ったことになる。
【００７９】
Ｓ３１０ステップでは、通信システム制御装置２００は、遠隔操作フラグ付きメール送信が有ったと判定するとＳ３２０ステップへ処理を進め、そうでなければ、Ｓ３００ステップへ処理を戻す。本実施形態では、上述のとおり遠隔操作フラグを「１１１」の３桁の数字としている。例えば、親が携帯電話装置２４０を操作して、携帯電話装置１０のメールアドレスを送信先とし、遠隔操作フラグ「１１１」を件名とし、本文を空にしたメールを送信することで、遠隔操作フラグ付きメール送信が有ったことになる。
【００８０】
通信システム制御装置２００において携帯電話装置からの発呼と携帯電話装置からのメール送信とでは、発呼の方が優先して処理されるため、発呼による遠隔操作を行う方が好ましい。また、通信システム制御装置２００が行うメールの処理において、フラグ付きメールは、フラグ無しメールによりも優先して処理されるようにしておくことが望ましい。
【００８１】
Ｓ３２０ステップでは、通信システム制御装置２００は、遠隔操作対象の携帯電話装置（携帯電話装置１０）に向けて、遠隔操作フラグ付き情報を送信し、Ｓ３３０ステップへ処理を進める。遠隔操作フラグ付き情報の一例としては、遠隔操作対象の携帯電話装置のメールアドレスを送信先とし、遠隔操作フラグである「１１１」の３桁の数字を件名とし、本文を空にしたメールが挙げられる。
【００８２】
続くＳ３３０ステップでは、通信システム制御装置２００は、遠隔操作対象の携帯電話装置から遠隔操作フラグ付き情報の受信を完了した旨の通知（図４のＳ２６０ステップを参照）が有ったと判定すると、Ｓ３００ステップへ処理を戻し、そうでなければ、Ｓ３４０ステップへ処理を進める。
【００８３】
Ｓ３４０ステップでは、通信システム制御装置２００は、内蔵されているタイマー（図示せず）により所定時間のカウントを開始し、Ｓ３５０ステップへ処理を進める。
【００８４】
Ｓ３５０ステップでは、通信システム制御装置２００は、Ｓ３４０ステップにおいてカウント開始したタイマーが所定の時間をカウントしたと判定するとＳ３２０ステップへ処理を戻す。これにより、遠隔操作フラグ付き情報の送信が失敗した場合は、それ以後成功するまで所定の時間毎に遠隔操作フラグ付き情報が再送信される。
【００８５】
尚、Ｓ３２０ステップ乃至Ｓ３５０ステップの処理中に、通信システム制御装置２００は、遠隔操作取消フラグ付き発呼又は遠隔操作取消フラグ付きメール送信が有るかを監視しており、いずれかが有れば直ちにＳ３２０ステップ乃至Ｓ３５０ステップの処理を終了して初期状態に戻した上で、Ｓ３００ステップへ処理を戻す。これにより、一旦遠隔操作を行った後もその取り消しが可能となる。遠隔操作取消フラグとしては、例えば「１２３」の３桁の数字が挙げられる。
【図面の簡単な説明】
【００８６】
【図１】は、本発明に係る携帯電話装置の回路ブロック図である。
【図２】は、本発明に係る携帯電話装置の状態遷移図である。
【図３】は、擬似電源オフ状態の説明図である。
【図４】は、擬似電源オフ動作を示すフロー図である。
【図５】は、本発明に係る携帯電話装置を含む通信システムの構成を示す図である。
【図６】は、本発明に係る携帯電話装置を遠隔操作するための通信システム制御装置の動作を示すフロー図である。
【符号の説明】
【００８７】
１０    携帯電話装置
１２    電話通信部
３４    スピーカ
３６    制御回路
４０    ＲＡＭ
５８    ＧＰＳ通信部
２００    通信システム制御装置
【図１】
2008061153.tif 000003
【図２】
2008061153.tif 000004
【図３】
2008061153.tif 000005
【図４】
2008061153.tif 000006
【図５】
2008061153.tif 000007
【図６】
2008061153.tif 000008